(57)【要約】【課題】基端部がリールの入力軸に接続されたハンドルアームと、同ハンドルアームの先端部に上記入力軸と平行に突出固定されたハンドルシャフトと、同ハンドルシャフトの外周に回転可能に保持されたハンドルノブとを備え、同ハンドルノブは筒状部と同筒状部の先端部に直交して取り付けられた握り部とからなる魚釣用リールのハンドルにおいて、短時間で容易に筒状部に握り部を着脱可能なハンドルノブを備えたハンドルを提供する。【解決手段】筒状部の先端部外周に設けられた環状溝と、握り部の側部に設けられ、握り部の軸線に直交し、奥端が閉じ、筒状部の先端部が嵌入される横穴と、握り部の一方の延伸部に設けられ、奥端が上記横穴に連通し、一部に雌ネジが設けてある貫通孔と、握り部の貫通孔に螺着され、先端が上記筒状部の環状溝に嵌入される握り部取付け用雄ネジ部材とを備えた。【選択図】　　　　図４
2004081046.tif 000002
【特許請求の範囲】
【請求項１】
基端部が魚釣用リールの入力軸に接続されたハンドルアームと、同ハンドルアームの先端部に上記入力軸に平行に突出固定されたハンドルシャフトと、同ハンドルシャフトの外周に回転可能に保持されたハンドルノブを備え、同ハンドルノブは上記ハンドルシャフトの外周に回転可能に保持された筒状部と同筒状部の先端部に直交して取り付けられた棒状の握り部とからなる魚釣用リールのハンドルにおいて、
上記筒状部の先端部外周に設けられた係合部と、
上記握り部の側部に設けられ、同握り部の軸線に直交し、奥端が閉じ、上記筒状部の先端部が嵌入される横穴と、
上記握り部の一方の延伸部に設けられ、奥端が上記横穴に連通し、一部に雌ネジが設けてある貫通孔と、
上記握り部の貫通孔に螺着され、先端が上記筒状部の係合部に嵌入される握り部取付け用雄ネジ部材とを備え、
上記握り部の横穴に嵌入された上記筒状部の係合部に、上記握り部の貫通孔に螺着された握り部取付け用雄ネジ部材の先端部が係合され、筒状部と握り部とが結合されてハンドルノブが構成されることを特徴とする魚釣用リールのハンドル。
【請求項２】
上記筒状部の先端部の外周に設けられた係合部は周方向の環状溝であることを特徴とする請求項１に記載の魚釣用リールのハンドル。
【請求項３】
上記係合部は、上記筒状部の外周に形成された単数または複数の係合盲穴であることを特徴とする請求項１に記載の魚釣用リールのハンドル。
【請求項４】
上記握り部の軸方向の一方に偏した位置に上記横穴が形成され、横穴から端部までの寸法の長い方の握り部に上記雌ネジを備えた貫通孔が形成され、そこに上記握り部取付け用雄ネジ部材が装着されることを特徴とする請求項１に記載の魚釣用リールのハンドル。
【請求項５】
上記筒状部は合成樹脂製のすべり軸受を介してハンドルシャフトに回転可能に支持され、かつハンドルシャフトの先端部に抜け止め機構が設けられていることを特徴とする請求項１に記載の魚釣用リールのハンドル。
【請求項６】
上記ハンドルアームの先端部に貫通孔が設けられ、その内面の全部または中心線方向の一部に、同ハンドルアームを入力軸に接続しているネジとは逆螺旋の雌ネジが形成され、ハンドルシャフトの基端部の雄ネジが上記雌ネジに螺着されていることを特徴とする請求項５に記載の魚釣用リールのハンドル。
【請求項７】
上記ハンドルアームを挟んでハンドルシャフトの反対側に押え部材があてがわれ、同押え部材を貫通するネジが上記ハンドルシャフトの基端部に螺着されたことを特徴とする請求項６に記載の魚釣用リールのハンドル。
【発明の詳細な説明】
【０００１】
【発明の属する技術分野】
本発明は、両軸受型リールやスピニングリールなどの魚釣用リールのハンドルに関し、特に、リール本体の入力軸に連結されているハンドルアームの先端部に設けられたハンドルシャフトに、回転可能に取り付けられるハンドルノブを備えたハンドルの構造に関するものである。
【０００２】
【従来の技術】
従来から魚釣用リールのハンドルに使用されるハンドルノブは、リールの形態や大きさなどに合わせて、大きさや形状など多種多様である。特に大物を狙う場合に用いられる大型リールのハンドルノブは、筒状部と棒状の握り部とからなり、握り部の中央に筒状部の一端を固定したＴ字型のものが多く使われ、その筒状部がハンドルアームの端部に直交突設されているハンドルシャフトに回転可能に装着されている（特開平１０−２６２５２６号など）。
【０００３】
また、ハンドルノブの筒状部と握り部との接続方式は多様であり、筒状部の端部に雄ネジを設け、それを握り部の中央側部に設けた雌ネジに螺合して固定するもの（特開２０００−２０１５９９号）、筒状部の端部を、握り部の中央に側方から設けた貫通孔に圧入等によって固定するもの（特開平１０−２６２５２６号）、筒状部の一端に筒状部の軸線に直交する貫通孔を設け、そこへ握り部を挿通して取りつけるもの（特開２００２−１３６２５０号）、筒状部と握り部とを一体成型したもの（特開平８−１９６１７２号）などがある。
【０００４】
【解決しようとする課題】
魚釣用リールのハンドルノブの握り部は、リール操作者の体格に応じて、手の平の寸法や体力に適合した寸法・形状の握り部を取り替え装着できることが望ましい。しかるに、従来の技術では握り部の着脱は必ずしも短時間で素早く取り替え操作を行うことは出来なかった。このため、握り部の交換もあまり行われていなかった。本発明は上記従来技術の欠点を解消し、短時間で容易に筒状部に握り部を着脱することができるハンドルノブを備えたハンドルを提供しようとするものである。
【０００５】
また、リールを用いてトローリング等を行っている時、リール操作者はハンドルノブを常時握っているわけではない。ハンドルノブはハンドルシャフトに対して回転可能であり、リール操作中においては、任意の姿勢を取り得ることは勿論であるが、従来のハンドルノブでは、リールを操作していない時の握り部の停止姿勢は決まっていない。ハンドルノブから手を離した状態からハンドルノブを握り込む際に、ハンドルノブ握り部の停止姿勢によっては、握り部が掴みにくい傾斜状態にあり、スムーズに握ることが出来ず、迅速に巻き込み操作へ移行出来ない場合がある。本発明は上記従来技術の欠点を解消し、とっさの行動において握り部の姿勢の予知と把持を容易に可能にするよう、常に同一姿勢を保つことのできるハンドルノブを備えたハンドルを提供しようとするものである。
【０００６】
【課題を解決するための手段および効果】
本発明は上記課題を解決したものであって、請求項１に記載の発明は、基端部が魚釣用リールの入力軸に接続されたハンドルアームと、同ハンドルアームの先端部に上記入力軸に平行に突出固定されたハンドルシャフトと、同ハンドルシャフトの外周に回転可能に保持されたハンドルノブを備え、同ハンドルノブは上記ハンドルシャフトの外周に回転可能に保持された筒状部と同筒状部の先端部に直交して取り付けられた棒状の握り部とからなる魚釣用リールのハンドルにおいて、上記筒状部の先端部外周に設けられた係合部と、上記握り部の側部に設けられ、同握り部の軸線に直交し、奥端が閉じ、上記筒状部の先端部が嵌入される横穴と、上記握り部の一方の延伸部に設けられ、奥端が上記横穴に連通し、一部に雌ネジが設けてある貫通孔と、上記握り部の貫通孔に螺着され、先端が上記筒状部の係合部に嵌入される握り部取付け用雄ネジ部材とを備え、上記握り部の横穴に嵌入された上記筒状部の係合部に、上記握り部の貫通孔に螺着された握り部取付け用雄ネジ部材の先端部が係合され、筒状部と握り部とが結合されてハンドルノブが構成されることを特徴とするものである。
【０００７】
本発明はこのように構成されているので、係合部に対する握り部取付け用雄ネジ部材の先端部の係合とその解除ができる程度の僅かなストロークで、握り部取付け用雄ネジ部材を締付けあるいは緩めることによって握り部の着脱ができるので、短時間で握り部の交換ができる。
【０００８】
また、握り部取付け用雄ネジ部材は重錘の働きをし、操作者がハンドルノブを握っていない時には、握り部取付け用雄ネジ部材が装着されている方の握り部が重錘作用によって下方に向き、握り部は鉛直になる。操作者はハンドルノブから手を離した状態にあっても、握り部の停止姿勢を予知し得るので、とっさの行動において操作者がハンドルノブを握り込む際に、握り部をスムーズに握ることができる。
【０００９】
請求項２に記載の発明は、請求項１に記載の魚釣用リールのハンドルにおいて、上記筒状部の先端部の外周に設けられた係合部は周方向の環状溝であることを特徴とするものである。
【００１０】
これは、握り部取付け用雄ネジ部材の先端部が係合する形状であれば、製作容易な形状を用いれば良いということであるが、環状溝は周方向の何処でも係合可能であるから便利である。
【００１１】
請求項３に記載の発明は、請求項１に記載の魚釣用リールのハンドルにおいて、上記係合部は、上記筒状部の外周に形成された単数または複数の係合盲穴であることを特徴とするものである。
【００１２】
これも同様に、握り部取付け用雄ネジ部材の先端部が係合する形状であれば、製作容易な形状を用いれば良いということである。
【００１３】
請求項４に記載の発明は、請求項１に記載の魚釣用リールのハンドルにおいて、上記握り部の軸方向の一方に偏した位置に上記横穴が形成され、横穴から端部までの寸法の長い方の握り部に上記雌ネジを備えた貫通孔が形成され、そこに上記握り部取付け用雄ネジ部材が装着されることを特徴とするものである。
【００１４】
このように構成することによって、操作者がハンドルノブを握っていない時に、握り部取付け用雄ネジ部材の重錘作用によって握り部は、寸法の長い方の握り部が下になって握り部が鉛直になるので、操作者が再び握る時、操作者にとって握り易い形状・姿勢となる。
【００１５】
請求項５に記載の発明は、請求項１に記載の魚釣用リールのハンドルにおいて、上記筒状部は合成樹脂製のすべり軸受を介してハンドルシャフトに回転可能に支持され、かつハンドルシャフトの先端部に抜け止め機構が設けられていることを特徴とするものである。
【００１６】
このように構成されているので、軸受は腐食することがなく、装置の耐久性が高くなる。また、ハンドルシャフトの先端部に抜け止め機構が設けてあるので、ハンドルノブが抜けることは防止される。
【００１７】
請求項６に記載の発明は、請求項５に記載の魚釣用リールのハンドルにおいて、上記ハンドルアームの先端部に貫通孔が設けられ、その内面の全部または中心線方向の一部に、同ハンドルアームを入力軸に接続しているネジとは逆螺旋の雌ネジが形成され、ハンドルシャフトの基端部の雄ネジが上記雌ネジに螺着されていることを特徴とするものである。これによって、ハンドルシャフトが抜けることは防止される。
【００１８】
請求項７に記載の発明は、請求項６に記載の魚釣用リールのハンドルにおいて、上記ハンドルアームを挟んでハンドルシャフトの反対側に押え部材があてがわれ、同押え部材を貫通するネジが上記ハンドルシャフトの基端部に螺着されたことを特徴とするものである。これによってハンドルシャフトの固定が一層確実となる。
【００１９】
【発明の実施の形態】
本発明のハンドルは、如何なる形式の魚釣用リールにも装着可能であるが、以下の説明は、両軸受型リールに取り付けた場合を例として説明する。図１は本発明の一実施形態に係る両軸受型リールを後方から見た図、図２は同リールを右方から見た図、図３は同リールの断面図である。
【００２０】
図１、図２に示されるように、両軸受型リールは、釣り竿１に装着されるかご状の本体枠２と、この本体枠２の内側に回転自在に装着されて釣り糸を巻き取るスプール３と、この本体枠２の一方の側面に取り付けられスプール３を回転させる駆動手段４と、この本体枠２の他方の側面に取り付けられスプール３に巻かれた釣糸に一定のテンションが作用した時スプール３に釣り糸繰り出し方向の回転を許容するドラッグ機構５とを備えている。
【００２１】
図３に示されるように、右サイドカバー６の外側に副サイドカバー７がある。その外側に、駆動手段４の一部を構成するハンドル８がある。ハンドル８は副サイドカバー７から突出する入力軸９の端部にネジ部材を介して結合されている。右サイドカバー６の内側には、駆動手段４の他の部分を構成する入力軸９、歯車群１２、一方向クラッチ１３、および回転軸１４の右端部が内蔵されている。
【００２２】
回転軸１４はスプールの中心空洞部を貫通し、左サイドカバー１５内に収容されているドラッグ機構５に連結され、ドラッグ機構５はスプール３に接続されている。ドラッグ機構５の構造は図示していないが、回転軸１４に連なる内側円錐面と、スプール３に連なる外側円錐面と、上記両円錐面の間で押圧挟持されている複数個のローラからなっている。
【００２３】
上記両軸受型リールは、駆動手段４のハンドル８で入力軸９を回し、その回転が回転軸１４に伝達され、通常の釣り糸巻き取り時には、回転軸１４の回転はドラッグ機構５を介してスプール３に伝達される。上記リールにおいて、一方向クラッチ１３は回転軸１４にハンドルの釣り糸巻取り方向の回転は伝達するが、逆方向の回転は伝達しない。回転軸１４は釣り糸巻取り方向の回転は可能であるが、逆方向には回転できない。ドラッグ機構５は、釣り糸に作用する張力が設定値以下の時は、前記両円錐面の間で押圧されているローラは摩擦力によって転動も摺動もできないので、前記両円錐面は同じ方向に回転し、回転軸１４の巻取り方向の回転はスプール３に伝達され、スプールは釣り糸を巻き取る。
【００２４】
釣り糸に作用する張力が設定値以上となった時は、釣り糸からスプールに加わる釣り糸繰り出し方向のトルクが両円錐面とローラとの間の摩擦力に打ち勝ち、前記両円錐面の間でローラの転動と摩擦を伴う摺動が生じ、スプール３は、釣り糸に引っ張られて、回転軸１４が伝達する回転方向とは逆方向に、抵抗のかかった状態で回転を始める。したがって、釣り糸は抵抗がかかった状態で繰り出される。これは、大型魚による釣り糸の張力によって釣り糸が切れることを防ぐためのドラッグ機構の機能である。上記両軸受型リールの詳細については本件出願人が過去に出願した発明に関する特開２００２−１２５５４１号等に掲載されているので説明を省略する。
【００２５】
図４は本発明のハンドル８の一実施形態に関する断面図である。ハンドル８は大きく分けると、基端部が入力軸９に接続されているハンドルアーム２０、同ハンドルアームの先端部に上記入力軸９に平行に突出固定されているハンドルシャフト２１、および同ハンドルシャフト２１の外周に回転可能に支持されているほぼＴ字型のハンドルノブ２２からなっている。ハンドルノブ２２はハンドルシャフト２１の外周で回転する筒状部２３と、同筒状部２３の先端部に直交して取り付けられた棒状の握り部２４とからなっている。
【００２６】
入力軸９の端部には、ボルト１０を介して取りつけられた雄ネジ部材１１があり、ハンドルアーム２０の基端部には４本のネジ２５で固定された雌ネジ部材２６がある。その雌ネジ部材２６が、入力軸９の端部の雄ネジ部材１１に螺合してハンドルアーム２０を入力軸９に固定し、ハンドルアーム２０の回転を入力軸９に伝える。上記雄ネジ部材１１および雌ネジ部材２６のネジは釣り糸巻取り方向の回転で締まるネジであり、通常は右ネジである。
【００２７】
ハンドルアーム２０の先端部に、上記入力軸９と平行にハンドルシャフト２１が突出固定されている。これはハンドルアーム２０の先端部に穿設された貫通孔に設けられた雌ネジ２０ａに、ハンドルシャフト２１の基端部に形成された雄ネジ２１ａをネジ込むことによって固定されている。上記雌ネジ２０ａおよび雄ネジ２１ａは、ハンドルアーム２０を入力軸９に接続しているネジとは逆螺旋のネジであり、通常は左ネジである。これは緩み防止のためである。上記雌ネジはハンドルアーム２０の先端部に穿設された貫通孔の内周全面に設けてあっても良いし、貫通孔の中心線方向の一部に設けてあっても良い。
【００２８】
ハンドルシャフト基端側大径部２１ｂの周囲には、ハンドルシャフト２１をハンドルアーム２０にネジ込む作業においてスパナを掛けるために、周囲の一部を切り欠いた一対の平行部が設けてある。ハンドルシャフト２１の基端には、その緩みを防止し固定を確実にするために、ハンドルシャフト基部大径部２１ｂとの対によってハンドルアームを挟む押え部材２７があてがわれ、同押え部材２７を貫通するネジ２８がハンドルシャフト２１の基端部に螺着されている。ハンドルシャフト２１の先端には、後述の筒状部２３の抜け防止のために用いる雌ネジ孔２１ｃが設けてある。
【００２９】
ハンドルノブ２２の筒状部２３には両端部の内側に内径がやや大きい部分が設けてあり、ここに合成樹脂製のすべり軸受２９、３０が圧入して保持されている。図５はハンドルシャフト２１に筒状部２３を組付けた状態におけるこれら部材の先端部の拡大断面図である。軸受３０は筒状部２３の軸受保持部の端面より軸方向に僅かな寸法Ｓ１だけ突出させておくのが良い。軸受２９も同様に軸受保持部の端面より軸方向に僅かに突出させておく。これらの軸受２９、３０の内面にはグリースを塗布しておく。また、筒状部２３のハンドルアーム２０側の端には、図４に示されるように、筒状部２３をハンドルシャフト２１に取り付けた後のごみの侵入を防ぐために、薄肉延長筒部２３ａが設けてある。さらに、筒状部２３の先端部外周の、握り部２４が装着される部位に対応して、係合部として角型断面の環状溝２３ｂが削成してある。これは、後述の握り部取付け用雄ネジ部材３７の先端小径部３７ｃが嵌り、係合する溝である。なおこの環状溝２３ｂの代りに、筒状部２３の外周に形成された単数または複数の係合盲穴であっても良い。
【００３０】
筒状部２３をハンドルシャフト２１に取り付ける場合は、予めハンドルアーム２０に取付けられているハンドルシャフト２１を筒状部２３の中心孔に挿通し、筒状部２３の抜け防止のために、軸受３０より大径のワッシャ３１を介してボルト３２をハンドルシャフト先端の雌ネジ孔２１ｃに螺合固定する。なお、筒状部２３がハンドルシャフト２１の回りを回り得るように、予め、軸受３０の端面とワッシャ３１の面との間には図５にしめす若干の隙間Ｓ２が残るように寸法の設定をしておく。
【００３１】
ハンドルノブ２２の握り部２４は合成樹脂で作られている。握り部２４の側部には、その長手方向の一方に偏した位置に、奥端の塞がった横穴３３が穿設してある。これはハンドルノブの筒状部２３の先端が嵌入される穴である。上記横穴３３の中心からその両側に伸びる握り部の端までの寸法Ａ，Ｂは等しくても良いが、図４の例では大小がある。図では一方の握り部２４Ａより他方の握り部２４Ｂの方が長い。その長い方の握り部２４Ｂの軸線上に貫通孔３４が設けてある。この貫通孔３４は、入口部に雌ネジ３４ａを備え、中央の大部分が大径孔３４ｂで、最奥部は前記横穴３３に連通する小径孔３４ｃとなっている。
【００３２】
一方、上記貫通孔３４に適合する握り部取付け用雄ネジ部材３５が用意されている。これは金属製のネジであり、その頭部は１本の溝を有する丸平頭であり、その頭部に隣接して前記雌ネジ３４ａに螺合可能な雄ネジ３５ａが設けられており、中央の大部分は前記貫通孔３４の大径孔３４ｂに嵌る大径部３５ｂであり、先端部は前記貫通孔３４の小径孔３４ｃに挿通され、横穴３３の中へ突出する小径部３５ｃとなっている。
【００３３】
ハンドルノブ２２の筒状部２３に握り部２４を取りつける場合は、予めハンドルシャフト２１に回転可能に取り付けられている筒状部２３の先端を握り部２４の横穴３３に挿入し、次に握り部２４Ｂの端から貫通孔３４に握り部取付け用雄ネジ部材３５を挿入して、雄ネジ３５ａを雌ネジ３４ａに螺合して締結する。この時、握り部取付け用雄ネジ部材３５の先端小径部３５ｃが筒状部２３の環状溝２３ｂの中に嵌入される。上記工程によって、握り部２４が筒状部２３に装着され、一体のハンドルノブ２２として、操作者の手に握られる。釣り糸の巻取り操作がなされる時には、このハンドルノブ２２はハンドルシャフト２１の回りで回転機能する。上記取付け操作を逆にたどることによって、握り部２４を筒状部２３から取り外すことができる。これによって、操作者に適した寸法の握り部に交換することが出来る。
【００３４】
なお、握り部交換等のための、筒状部２３に対する握り部２４の着脱に際しては、握り部取付け用雄ネジ部材３５を握り部２４から完全に取り外す必要は無い。筒状部２３に対する握り部２４の着脱は、環状溝２３ｂに小径部３５ｃが係合しているかどうかによって決まることである。したがって、筒状部２３に対する握り部２４の着脱に際しては、上記環状溝２３ｂに対する小径部３５ｃの係合とその解除ができる範囲のストロークで握り部取付け用雄ネジ部材３５を締付けあるいは緩めれば良い。最大ストロークは環状溝２３ｂの深さの程度である。したがって握り部２４の着脱ははなはだ容易であり、短時間で握り部の交換ができる。
【００３５】
上記の握り部２４において、一方の握り部には、周囲の合成樹脂製部分に比して遥かに比重の大きい金属製の握り部取付け用雄ネジ部材３５が装着されている。このネジ３５は重錘の役割を兼ね、リール操作者がハンドルノブ２２から手を離した時には、握り部取付け用雄ネジ部材３５が装着されている方を下方に向けて鉛直になる。すなわち、操作者がハンドルノブ２２を握っていない時には、握り部２４は鉛直になっている。したがって、リール操作者は、ハンドルノブ２２から手を離した状態にあっても、握り部２４の停止姿勢を予知し得るので、とっさの行動において、操作者がハンドルノブ２２を握り込む際に、握り部２４をスムーズに握ることができ、迅速に次の巻き込み操作へ移行することが出来る。
【００３６】
握り部取付け用雄ネジ部材３５が、長い方の握り部２４Ｂに設けてある場合は、長い方の握り部２４Ｂを下方に向けて鉛直になる。すなわち握り易い形状で鉛直になるので、とっさの行動において素早くハンドルノブ２２を握ることができる。
【００３７】
以上詳述したように、本実施形態のハンドルには次のような特徴および効果がある。
（１）握り部交換等のために、筒状部２３に対して握り部２４を着脱する時には、環状溝２３ｂに対する小径部３５ｃの係合とその解除ができる程度のストロークで、握り部取付け用雄ネジ部材３５を締付けあるいは緩めれば良いので、握り部２４の着脱は容易であり、短時間で握り部の交換ができる。
（２）操作者がハンドルノブ２２を握っていない時には、握り部取付け用雄ネジ部材３５の重錘作用によって握り部２４は鉛直になる。操作者はハンドルノブ２２から手を離した状態にあっても、握り部２４の停止姿勢を予知し得るので、とっさの行動において操作者がハンドルノブ２２を握り込む際に、握り部２４をスムーズに握ることができる。
（３）握り部取付け用雄ネジ部材３５が、長い方の握り部２４Ｂに設けてある場合は、握り部２４は、短い方の握り部２４Ａを上に、長い方の握り部２４Ｂを下にして鉛直になるので、操作者にとって握り易い形状で鉛直になる。
（４）握り部取付け用雄ネジ部材３５と、握り部２４を鉛直にするための重錘とを、同一部品で兼用としているので装置がコンパクトになっている。
（５）筒状部２３をハンドルシャフト２１で回転可能に保持するための軸受は、樹脂製のすべり軸受を使用しているので、腐食することがなく、装置の耐久性が高くなっている。
（６）筒状部２３と握り部２４との接続部の密閉性が高いので、回転摺動部へのごみの侵入を防ぐことができる。
（７）筒状部２３の、ハンドルアーム２０側の端には薄肉延長筒部２３ａが設けてあるので、回転摺動部へのごみの侵入を防ぐことができる。
【図面の簡単な説明】
【図１】本発明の一実施形態に関する両軸受型リールを後方から見た図である。
【図２】上記リールを右方から見た図である。
【図３】上記リールの断面図である。
【図４】本発明のハンドルの一実施形態に関する断面図である。
【図５】上記のハンドルの、ハンドルシャフトに筒状部を組付けた状態における部分拡大断面図である。
【符号の説明】
Ｓ１…軸受保持部端面からの軸受の突出寸法、Ｓ２…ワッシャと軸受の間の隙間、１…釣り竿、２…本体枠、３…スプール、４…駆動手段、５…ドラッグ機構、６…右サイドカバー、７…副サイドカバー、８…ハンドル、９…入力軸、１０…ボルト、１１…雄ネジ部材、１２…歯車群、１３…一方向クラッチ、１４…回転軸、１５…左サイドカバー、２０…ハンドルアーム、２０ａ…ハンドルアーム先端の雌ネジ、２１…ハンドルシャフト、２１ａ…ハンドルシャフト基端部雄ネジ、２１ｂ…ハンドルシャフト基端側大径部、２１ｃ…ハンドルシャフト先端の雌ネジ穴、２２…ハンドルノブ、２３…筒状部、２３ａ…薄肉延長筒部、２３ｂ…角型断面の環状溝、２４…握り部、２４Ａ…短い方の握り部、２４Ｂ…長い方の握り部、２５…ネジ、２６…雌ネジ部材、２７…押え部材、２８…ネジ、２９…すべり軸受、３０…すべり軸受、３１…ワッシャ、３２…ボルト、３３…横穴、３４…貫通孔、３４ａ…雌ネジ、３４ｂ…大径孔、３４ｃ…小径孔、３５…握り部取付け用雄ネジ部材、３５ａ…雄ネジ、３５ｂ…大径部、３５ｃ…小径部。
【図１】
2004081046.tif 000003
【図２】
2004081046.tif 000004
【図３】
2004081046.tif 000005
【図４】
2004081046.tif 000006
【図５】
2004081046.tif 000007
【手続補正書】
【提出日】平成14年9月3日(2002.9.3)
【手続補正１】
【補正対象書類名】明細書
【補正対象項目名】００２９
【補正方法】変更
【補正の内容】
【００２９】
ハンドルノブ２２の筒状部２３には両端部の内側に内径がやや大きい部分が設けてあり、ここに合成樹脂製のすべり軸受２９、３０が圧入して保持されている。図５はハンドルシャフト２１に筒状部２３を組付けた状態におけるこれら部材の先端部の拡大断面図である。軸受３０は筒状部２３の軸受保持部の端面より軸方向に僅かな寸法Ｓ１だけ突出させておくのが良い。軸受２９も同様に軸受保持部の端面より軸方向に僅かに突出させておく。これらの軸受２９、３０の内面にはグリースを塗布しておく。また、筒状部２３のハンドルアーム２０側の端には、図４に示されるように、筒状部２３をハンドルシャフト２１に取り付けた後のごみの侵入を防ぐために、薄肉延長筒部２３ａが設けてある。さらに、筒状部２３の先端部外周の、握り部２４が装着される部位に対応して、係合部として角型断面の環状溝２３ｂが削成してある。これは、後述の握り部取付け用雄ネジ部材３５の先端小径部３５ｃが嵌り、係合する溝である。なおこの環状溝２３ｂの代りに、筒状部２３の外周に形成された単数または複数の係合盲穴であっても良い。